(57)【要約】【課題】デッキ部の高さ方向幅を小さくしても、デッキ部がたわむのを抑制することが可能な持ち出し構造を提供する。【解決手段】建物の躯体から外側へと持ち出されたデッキ部４０を形成する持ち出し構造であって、デッキ部４０は、直交集成板によって構成されると共に、少なくとも一部が躯体から持ち出され、下面に溝部４１ａが形成されたパネル４１と、少なくとも一部が躯体から持ち出されると共に、溝部４１ａに埋め込まれた補強材４２と、を具備する。【選択図】図３
2020051170.tif 000002
【特許請求の範囲】
【請求項１】
建物の躯体から外側へと持ち出されたデッキ部を形成する持ち出し構造であって、
前記デッキ部は、
直交集成板によって構成されると共に、少なくとも一部が前記躯体から持ち出され、下面に溝部が形成されたパネルと、
少なくとも一部が前記躯体から持ち出されると共に、前記溝部に埋め込まれた補強材と、
を具備する、
持ち出し構造。
【請求項２】
前記補強材は、
前記パネルの下面から下方へ突出するように形成される、
請求項１に記載の持ち出し構造。
【請求項３】
前記補強材は、
前記パネルの下面から下方へ突出しないように形成される、
請求項１に記載の持ち出し構造。
【請求項４】
前記補強材は、
前記パネルの下面に対して面一となるように形成される、
請求項３に記載の持ち出し構造。
【請求項５】
前記補強材は、
軒天材を固定するための軒天下地を兼ねる、
請求項１から請求項４までのいずれか一項に記載の持ち出し構造。
【発明の詳細な説明】
【技術分野】
【０００１】
本発明は、建物の躯体から外側へと持ち出されたデッキ部を形成する持ち出し構造の技術に関する。
【背景技術】
【０００２】
従来、建物の躯体から外側へと持ち出されたデッキ部を形成する持ち出し構造の技術は公知となっている。例えば、特許文献１に記載の如くである。
【０００３】
特許文献１に記載される持ち出し構造は、バルコニーのデッキ部を形成するためのものである。デッキ部は、架設材に接合された複数の床根太に床合板が固定されることで形成される。
【０００４】
こうして形成されたデッキ部は、建物の躯体に片側で支持されるため、バルコニーに人が出た際等に、その重みでたわんでしまう可能性があった。また、デッキ部のたわみを抑制するために床根太の高さ方向幅を大きくすると、その分だけデッキ部の高さ方向幅が大きくなってしまい、建物の意匠性が低下する可能性があった。
【先行技術文献】
【特許文献】
【０００５】
【特許文献１】特開２００３−２０７１８号公報
【発明の概要】
【発明が解決しようとする課題】
【０００６】
本発明は、以上の如き状況を鑑みてなされたものであり、その解決しようとする課題は、デッキ部の高さ方向幅を小さくしても、デッキ部がたわむのを抑制することが可能な持ち出し構造を提供するものである。
【課題を解決するための手段】
【０００７】
本発明の解決しようとする課題は以上の如くであり、次にこの課題を解決するための手段を説明する。
【０００８】
即ち、請求項１においては、建物の躯体から外側へと持ち出されたデッキ部を形成する持ち出し構造であって、前記デッキ部は、直交集成板によって構成されると共に、少なくとも一部が前記躯体から持ち出され、下面に溝部が形成されたパネルと、少なくとも一部が前記躯体から持ち出されると共に、前記溝部に埋め込まれた補強材と、を具備するものである。
【０００９】
請求項２においては、前記補強材は、前記パネルの下面から下方へ突出するように形成されるものである。
【００１０】
請求項３においては、前記補強材は、前記パネルの下面から下方へ突出しないように形成されるものである。
【００１１】
請求項４においては、前記補強材は、前記パネルの下面に対して面一となるように形成されるものである。
【００１２】
請求項５においては、前記補強材は、軒天材を固定するための軒天下地を兼ねるものである。
【発明の効果】
【００１３】
本発明の効果として、以下に示すような効果を奏する。
【００１４】
請求項１においては、デッキ部の高さ方向幅を小さくしても、デッキ部がたわむのを抑制することができる。
【００１５】
請求項２においては、デッキ部がたわむのを効果的に抑制することができる。
【００１６】
請求項３においては、デッキ部の高さ方向幅を小さくすることができる。
【００１７】
請求項４においては、デッキ部がたわむのを効果的に抑制することができると共に、デッキ部の高さ方向幅を小さくすることができる。
【００１８】
請求項５においては、デッキ部の施工性を向上させることができる。
【図面の簡単な説明】
【００１９】
【図１】建物を示した斜視図。
【図２】デッキ部及びその周辺の構成を示した側面断面図。
【図３】デッキ部の正面断面図。
【図４】パネルの一部を示した斜視図。
【図５】補強材を示した斜視図。
【図６】デッキ部の拡大正面断面図。
【図７】第一変形例に係るデッキ部を示した正面断面図。
【図８】第二変形例に係るデッキ部を示した正面断面図。
【図９】第三変形例に係るパネルの一部を示した斜視図。
【図１０】第四変形例に係るデッキ部を示した正面断面図。
【図１１】（ａ）第四変形例に係る軒天下地を回転させる様子を示した平面図。（ｂ）軒天下地を回転させた後の様子を示した平面図。
【発明を実施するための形態】
【００２０】
以下の説明においては、図中に記した矢印に従って、上下方向、左右方向及び前後方向をそれぞれ定義する。
【００２１】
以下では、本発明の一実施形態に係る持ち出し構造について説明する。
【００２２】
持ち出し構造は、デッキ部４０を形成するためのものである。デッキ部４０は、建物１の躯体１０から外側へと持ち出され（跳ね出され）、躯体１０に片持ちで支持される屋外部分の床部を成すものである。なお、本実施形態係る屋外部分には、ベランダ３０やバルコニーやテラス等が含まれる。本実施形態に係るデッキ部４０は、図１に示す建物１に設けられる。
【００２３】
以下では、まず、図１を用いて、建物１の外観について説明する。
【００２４】
建物１は、人が居住する３階建ての木造住宅である。建物１は、躯体（建物本体）１０、屋根２０及びベランダ３０等を具備する。
【００２５】
躯体１０には、屋内空間を取り囲むように形成された外壁１１等が含まれる。外壁１１のうち、建物１の１階部分の前部には、建物１に出入りするための扉Ａが設けられる。また、外壁１１のうち、建物１の２階部分及び３階部分の前部には、ベランダ３０と屋内空間とを行き来するための掃き出しサッシＢが設けられる。屋根２０は、躯体１０の上方に設けられる。
【００２６】
ベランダ３０は、躯体１０から外側へ持ち出された屋外部分である。ベランダ３０は、建物１の２階部分及び３階部分にそれぞれ設けられる。ベランダ３０は、デッキ部４０及び壁部５０を具備する。
【００２７】
デッキ部４０は、ベランダ３０の床部を成すものである。デッキ部４０は、片側（本実施形態では後側）が躯体１０に支持されて、躯体１０から前方へ持ち出される。デッキ部４０については、後で詳述する。
【００２８】
壁部５０は、デッキ部４０から立ち上がる壁である。壁部５０は、デッキ部４０の縁部（左端部、右端部及び前端部）に形成される。壁部５０の上面には、手摺（不図示）が設けられる。
【００２９】
次に、以上のように構成されたベランダ３０のデッキ部４０について、図２から図６までを用いて詳細に説明する。なお、図２は、デッキ部４０及びその周辺の構成を示す側面断面図であり、説明の便宜上、外壁１１や壁部５０等の記載を省略している。
【００３０】
図２及び図３に示すように、デッキ部４０は、パネル４１、補強材４２、軒天下地４３及び軒天材４４を具備する。
【００３１】
パネル４１は、板面を上下方向に向けた板状の部材である。パネル４１の前部は、躯体１０から前方へ持ち出され、ベランダ３０の全域に亘るように形成される。また、パネル４１の後部は、躯体１０内（屋内空間）に配置される。
【００３２】
図４に示すように、パネル４１は、繊維方向（長手方向）が直交するようにひき板Ｃ１・Ｃ２を積層し、当該ひき板Ｃ１・Ｃ２を接着したＣＬＴ（Ｃｒｏｓｓ  Ｌａｍｉｎａｔｅｄ  Ｔｉｍｂｅｒ、直交集成板）によって構成される。本実施形態に係るパネル４１は、長手方向を前後方向（建物１に近接離間する方向）に向けたひき板Ｃ１と、長手方向を左右方向に向けたひき板Ｃ２とを、交互に積層することによって構成される。また、パネル４１の最下層（最も下側）には、ひき板Ｃ１・Ｃ２のうち、長手方向を前後方向に向けたひき板Ｃ１が配置される。当該パネル４１は、溝部４１ａを具備する。
【００３３】
図２から図４までに示す溝部４１ａは、後述する補強材４２を埋め込むためのものである。溝部４１ａは、正面視略矩形状に形成される。溝部４１ａは、パネル４１の下面における前部、具体的には躯体１０から持ち出された部分に形成される。溝部４１ａは、前後方向に延びるように形成される。溝部４１ａの前端部は、パネル４１の前端部で開口するように形成される。溝部４１ａは、左右方向に間隔をあけて複数形成される。
【００３４】
上述の如く、パネル４１の最下層には、長手方向を前後方向（溝部４１ａの長さ方向と平行な方向）に向けたひき板Ｃ１が配置されている。そこで、本実施形態においては、図４に示すように、最下層のひき板Ｃ１を適宜取り外す（又は、パネル４１の製造時に適宜間隔をあけて最下層のひき板Ｃ１を配置する）ことによって溝部４１ａを形成している。より詳細には、本実施形態においては、１枚のひき板Ｃ１を取り外して１つの溝部４１ａを形成している。これによれば、溝部４１ａを簡単に形成することができる。こうして形成された本実施形態に係る溝部４１ａは、長手方向視における形状が、最下層のひき板Ｃ１の長手方向視における断面形状と略同一の形状となる。
【００３５】
図２、図３及び図５に示す補強材４２は、パネル４１を補強すると共に、後述する軒天材４４を固定する軒天下地を兼ねるものである。補強材４２は、長手方向を前後方向に向けて配置されると共に、正面視略Ｈ字状に形成される長尺状の部材である。補強材４２は、長手方向幅が溝部４１ａの長手方向幅と略同一となるように形成される。補強材４２は、高さ方向幅（上下方向幅）が溝部４１ａの深さ（上下方向幅）よりも大きくなるように形成される。補強材４２は、パネル４１（ＣＬＴ）よりも強度が高い材料によって構成される。本実施形態に係る補強材４２は、鋼鉄で形成されたＨ形鋼によって構成される。補強材４２の後端部には、複数のボルト孔Ｅ１が形成されたエンドプレートＥが取り付けられる。図５及び図６に示すように、補強材４２は、上フランジ４２ａ、下フランジ４２ｂ及びウェブ４２ｃを具備する。
【００３６】
上フランジ４２ａは、補強材４２の上部に形成される板状の部分である。上フランジ４２ａは、その左右方向幅が溝部４１ａの左右方向幅と略同一となるように形成される。下フランジ４２ｂは、補強材４２の下部（上フランジ４２ａの下方）に形成される板状の部分である。上フランジ４２ａ及び下フランジ４２ｂは、その板面を上下方向に向けて互いに対向するように配置される。
【００３７】
ウェブ４２ｃは、上フランジ４２ａと下フランジ４２ｂとを接続する板状の部分である。ウェブ４２ｃは、その板面を左右方向に向けて配置される。ウェブ４２ｃは、その上端部が上フランジ４２ａの左右中央部と接続される。ウェブ４２ｃは、その下端部が下フランジ４２ｂの左右中央部と接続される。
【００３８】
図３に示す軒天下地４３は、後述する軒天材４４を固定するためのものである。軒天下地４３は、長手方向を左右方向（補強材４２の長手方向に対して直交する方向）に向けて配置される長尺状の部材である。軒天下地４３は、左右に隣接する補強材４２の間に配置可能となるように形成される。具体的には、軒天下地４３は、長手方向幅が左右に隣接する補強材４２のウェブ４２ｃの間隔よりも小さくなるように形成される。図６に示すように、軒天下地４３は、凹部４３ａを具備する。
【００３９】
凹部４３ａは、軒天下地４３の下面に形成された凹みである。凹部４３ａは、正面視略矩形状に形成され、軒天下地４３の前端部から後端部までに亘って形成される。また、凹部４３ａは、軒天下地４３の下面における左端部及び右端部にそれぞれ形成される。
【００４０】
図２及び図３に示す軒天材４４は、補強材４２及び軒天下地４３の下方に配置される板状の部材である。軒天材４４は、ベランダ３０の全域に亘るように形成される。
【００４１】
このように構成されるデッキ部４０において、パネル４１は、後部が躯体１０に固定される。具体的には、パネル４１の後部は、躯体１０の柱１２に架け渡されて左右方向に延びる梁１３と、当該梁１３に支持されて後方へ延びる横材１４と、に載置され、釘が打ち込まれる等して当該梁１３及び横材１４に固定される。こうして、パネル４１は、躯体１０に片持ちで支持される。当該パネル４１の後部は、屋内空間の床を構成する部材（例えば、床下地板や、床梁、床根太等）の一部又は全部を兼ねるように構成される。このような構成により、パネル４１と前記床を構成する部材とを別々に設ける場合よりも施工性を向上させることができる。また、溝部４１ａの後端部には、躯体１０と補強材４２とを連結する金具Ｄが配置される。当該金具Ｄは、梁１３の前端面（屋外側の面）に固定される。
【００４２】
また、補強材４２は、図２及び図３に示すように、パネル４１及び躯体１０に固定される。具体的には、補強材４２は、上フランジ４２ａがパネル４１の溝部４１ａの底面（下方を向いた面）に当接され、ビス等によって当該溝部４１ａ（パネル４１）に固定される。こうして、補強材４２は、溝部４１ａに埋め込まれる。当該補強材４２は、上部（本実施形態では上半分）が溝部４１ａ内に配置されると共に、下部（本実施形態では下半分）がパネル４１から下方へ突出する。また、補強材４２は、溝部４１ａに対して前後方向の位置を合わせて配置される。こうして、補強材４２は、溝部４１ａの全域に亘るように設けられる。また、補強材４２は、エンドプレートＥのボルト孔Ｅ１（図５参照）にボルトが締結されることにより、金具Ｄに固定される。これにより、補強材４２は、金具Ｄ及びエンドプレートＥを介して躯体１０に固定され、全体が躯体１０から持ち出される。当該補強材４２は、複数の溝部４１ａに対応するように配置される（全ての溝部４１ａに補強材４２がそれぞれ設けられる）。
【００４３】
また、図３に示すように、軒天下地４３は、左右の凹部４３ａが左右に隣接する補強材４２の下フランジ４２ｂにそれぞれ引っ掛けられ、ビス等によって当該下フランジ４２ｂに固定される。当該軒天下地４３は、左右に隣接する補強材４２の間にそれぞれ配置される。また、軒天下地４３は、前後方向に間隔をあけて複数配置される。こうして、本実施形態においては、軒天下地４３と補強材４２とにより、格子状の軒天下地が形成される。軒天材４４は、この格子状に形成された補強材４２及び軒天下地４３に、ビス等によって固定される。
【００４４】
以上のようにして、パネル４１、補強材４２、軒天下地４３及び軒天材４４が適宜固定されることにより、デッキ部４０が設けられる。当該デッキ部４０（パネル４１及び補強材４２）は、躯体１０に片持ちで支持されることとなる。
【００４５】
また、本実施形態においては、当該デッキ部４０に、図１に示す壁部５０が設けられてベランダ３０が形成される。当該デッキ部４０は、当該壁部５０から下方への荷重を受けることとなる。また、当該デッキ部４０は、ベランダ３０に人が出た際等に下方への荷重を受けることとなる。デッキ部４０は、躯体１０に片持ちで支持されているため、強度を確保しなければ、下方への荷重を受けてたわんでしまう可能性がある。
【００４６】
本実施形態に係るデッキ部４０は、図２に示すパネル４１及び補強材４２によって、たわむのを抑制している。具体的には、デッキ部４０は、強度に優れたＣＬＴによってパネル４１を構成することで、パネル４１自体の強度を向上させている。また、デッキ部４０は、当該パネル４１の下方に補強材４２を設けることで、パネル４１を補強している。以上によれば、デッキ部４０は、強度が高いパネル４１（ＣＬＴ）と、当該パネル４１よりもさらに強度が高い補強材４２と、により下方への荷重を受けることができる。これによって、デッキ部４０の強度を確保することができる。
【００４７】
また、デッキ部４０は、強度を確保することにより、躯体１０から持ち出される長さ（ベランダ３０の前後方向幅）を長くすることができる。これにより、ベランダ３０のスペースを確保できるため、ベランダ３０の利便性を向上させることができる。
【００４８】
また、デッキ部４０は、補強材４２を単にパネル４１の下に設けるのではなく、補強材４２を溝部４１ａに埋め込む（補強材４２の少なくとも一部を溝部４１ａの内側に配置する）ことで、高さ方向幅を小さくすることができる。また、上述の如く、デッキ部４０は、強度に優れたＣＬＴによってパネル４１を構成している。このような構成によりパネル４１の厚みを薄くする（高さ方向幅を小さくする）ことができる。以上により、デッキ部４０は、高さ方向幅を小さくしても、たわむのを抑制することができる。これによれば、デッキ部４０が目立ち難くなって、建物１の意匠性を向上させることができる。
【００４９】
また、溝部４１ａによれば、補強材４２をパネル４１に固定する際に、当該補強材４２をパネル４１に対して位置決めすることができる。このため、補強材４２をパネル４１に取り付け易くすることができ、施工性を向上させることができる。
【００５０】
また、補強材４２は、軒天材４４を支持している（軒天下地の一部を成している）。これによれば、新たに軒天下地を組む場合（軒天下地４３と補強材４２とは異なる部材とを格子状に形成する場合）と比較して、デッキ部４０の施工性を向上させることができる。
【００５１】
また、上述の如く、補強材４２は、全体が躯体１０から持ち出されるように（後端部が屋内空間に位置しないように）構成されている。このような構成によれば、屋内空間に補強材４２のスペースを確保しなくて済むため、建物１の設計自由度を向上させることができる。
【００５２】
また、パネル４１は、躯体１０の梁１３及び横材１４に載置されている。これにより、パネル４１を設置するときに、当該パネル４１を置くだけで梁１３及び横材１４で支えることができるため、デッキ部４０の施工性を向上させることができる。
【００５３】
以上の如く、本実施形態に係る持ち出し構造は、建物１の躯体１０から外側へと持ち出されたデッキ部４０を形成する持ち出し構造であって、前記デッキ部４０は、直交集成板によって構成されると共に、少なくとも一部が前記躯体１０から持ち出され、下面に溝部４１ａが形成されたパネル４１と、少なくとも一部が前記躯体１０から持ち出されると共に、前記溝部４１ａに埋め込まれた補強材４２と、を具備するものである。
【００５４】
このように構成することにより、デッキ部４０の高さ方向幅を小さくしても、デッキ部４０がたわむのを抑制することができる。
【００５５】
また、前記補強材４２は、前記パネル４１の下面から下方へ突出するように形成されるものである。
【００５６】
このように構成することにより、補強材４２の高さを確保して補強材４２の強度を向上させることができる。これにより、デッキ部４０がたわむのを効果的に抑制することができる。
【００５７】
また、前記補強材４２は、軒天材４４を固定するための軒天下地を兼ねるものである。
【００５８】
このように構成することにより、新たに軒天下地を組むよりも、デッキ部４０の施工性を向上させることができる。
【００５９】
以上、本発明の実施形態を説明したが、本発明は上記構成に限定されるものではなく、特許請求の範囲に記載された発明の範囲内で種々の変更が可能である。
【００６０】
例えば、本実施形態に係る持ち出し構造は、ベランダ３０に適用されるものとしたが、持ち出し部の適用対象は、躯体１０から外側へ持ち出される（跳ね出す）ものであれば、ベランダに限定されるものではない。持ち出し構造は、例えば、バルコニー等に適用されていてもよい。また、持ち出し構造は、戸建て住宅以外の建物、例えば、店舗等で用いられてもよい。
【００６１】
また、パネル４１は、一部（前部）が躯体１０から持ち出されるものとしたが、パネル４１の躯体１０から持ち出される部分は、これに限定されるものではなく、例えば、パネル４１の全体が躯体１０から持ち出されていてもよい。
【００６２】
また、補強材４２は、全体が躯体１０から持ち出されるものとしたが、補強材４２の躯体１０から持ち出される部分は、これに限定されるものではなく、例えば、補強材４２の一部が躯体１０から持ち出されていてもよい。この場合、補強材４２の残りの部分を躯体１０内に配置することができる。
【００６３】
また、補強材４２は、パネル４１よりも強度が高ければ、その材料は鋼鉄に限定されるものではなく、他の材料、例えば、ステンレス鋼等の金属材料を用いてもよい。また、補強材４２の材料は、金属材料に限定されるものではなく、チタン等の非金属材料であってもよい。なお、補強材４２は、デッキ部４０の耐火性を向上できるという観点から、燃え難い材料であることが望ましい。
【００６４】
また、補強材４２は、１つの部材（Ｈ形鋼）によって構成されるものとしたが、これに限定されるものではなく、図７に示す第一変形例に係るデッキ部１４０の補強材１４２のように、複数の部材によって構成されるものであってもよい。第一変形例に係る補強材１４２は、第一部材１４２ａ及び第二部材１４２ｂを具備する。
【００６５】
第一部材１４２ａ及び第二部材１４２ｂは、それぞれ長手方向を前後方向に向けた溝形鋼によって構成される。第一部材１４２ａは、開口部を左方に向けて配置される。第二部材１４２ｂは、開口部を右方に向けて配置される。第一部材１４２ａ及び第二部材１４２ｂは、互いに背中合わせで（開口する側とは反対側の端面同士が接触するように）配置される。こうして、補強材１４２は、正面視略Ｈ字状に形成される。第一部材１４２ａ及び第二部材１４２ｂは、上下方向幅が溝部４１ａの深さ（上下方向幅）と略同一となるように形成される。第一部材１４２ａ及び第二部材１４２ｂは、上面が溝部４１ａの底面（下方を向いた面）に当接されて、下面がパネル４１の下面と面一となるように形成される。このような構成により、補強材１４２の全体を溝部４１ａに埋め込んで（溝部４１ａから突出しないようにして）、デッキ部１４０の高さ方向幅を小さくすることができる。
【００６６】
また、補強材１４２には、本実施形態とは異なり、軒天下地４３が固定されていない。また、第一変形例に係るデッキ部１４０は、パネル４１及び補強材１４２に軒天材４４が固定される。このように、第一変形例においては、パネル４１及び補強材１４２が、軒天材４４を固定するための軒天下地を兼ねるように構成されている。これによれば、格子状の軒天下地を組まなくて済むため、デッキ部１４０の施工性を向上させることができる。
【００６７】
また、補強材４２は、正面視略Ｈ字状に形成されるものとしたが、補強材４２の形状はこれに限定されるものではなく、任意の形状とすることができる。補強材４２は、例えば、図８に示す第二変形例に係るデッキ部２４０の補強材２４２のように、正面視略矩形環状に形成されていてもよい。第二変形例に係る補強材２４２は、第一変形例に係る補強材１４２の第一部材１４２ａ及び第二部材１４２ｂの開口部の向きを、それぞれ反対向きにした、第一部材２４２ａ及び第二部材２４２ｂを具備する。第二変形例に係る補強材２４２は、第一変形例に係る補強材１４２と同様に、下面がパネル４１の下面と面一となるように形成される。これにより、デッキ部２４０の高さ方向幅を小さくすることができる。
【００６８】
以上の如く、第一変形例及び第二変形例において、前記補強材１４２・２４２は、前記パネル４１の下面から下方へ突出しないように形成されるものである。
【００６９】
このように構成することにより、デッキ部１４０・２４０の高さ方向幅を小さくすることができる。
【００７０】
また、前記補強材１４２・２４２は、前記パネル４１の下面に対して面一となるように形成されるものである。
【００７１】
このように構成することにより、補強材１４２・２４２がパネル４１の下面から突出しない範囲において、補強材１４２・２４２の高さを極力高くして補強材１４２・２４２の強度を向上させることができる。これにより、デッキ部１４０・２４０がたわむのを効果的に抑制することができると共に、デッキ部１４０・２４０の高さ方向幅を小さくすることができる。
【００７２】
また、補強材４２は、必ずしもＨ形鋼や溝形鋼のような形鋼によって構成されている必要はなく、任意の部材（例えば、角パイプ等）によって構成されていてもよい。
【００７３】
また、溝部４１ａは、正面視略矩形状に形成されるものとしたが、補強材４２を埋め込むことができれば、溝部４１ａの形状はこれに限定されるものではない。溝部４１ａは、例えば、正面視略台形状等であってもよい。
【００７４】
また、溝部４１ａは、パネル４１の最下層のひき板Ｃ１を取り外すことによって形成されるものとしたが、これに限定されるものではなく、例えば、パネル４１の下面を削ることで形成されるものであってもよい。また、溝部４１ａは、図９に示す第三変形例に係る溝部３４１ｃのように、複数の部材（上側部材３４１ａ及び下側部材３４１ｂ）を適宜組み合わせることによって形成されていてもよい。
【００７５】
第三変形例に係るパネル３４１は、略板状の上側部材３４１ａ及び下側部材３４１ｂを具備する。なお、図９においては、説明の便宜上、上側部材３４１ａ及び下側部材３４１ｂの外縁部を太線で示している。上側部材３４１ａ及び下側部材３４１ｂは、ＣＬＴによって構成される。上側部材３４１ａは、パネル３４１の上部を成す部分である。下側部材３４１ｂは、パネル３４１の下部を成す部分である。下側部材３４１ｂは、上側部材３４１ａよりも左右方向幅が小さくなるように形成される。下側部材３４１ｂは、上側部材３４１ａの下面に接合される。下側部材３４１ｂは、左右方向に間隔をあけて複数配置される。
【００７６】
第三変形例において、溝部３４１ｃは、左右の下側部材３４１ｂの間に形成される。第三変形例に係るパネル３４１によれば、本実施形態に係る溝部４１ａよりも大きな形状の溝部３４１ｃを簡単に形成することができる。
【００７７】
また、軒天下地４３の凹部４３ａは、軒天下地４３の下面に形成されるものとしたが、補強材４２に取付可能であれば、その形成される箇所は、これに限定されるものではない。図１０に示す第四変形例に係るデッキ部４４０は、軒天下地４４３の凹部４４３ａの形成箇所を本実施形態とは異なる箇所に変更したものである。具体的には、凹部４４３ａは、軒天下地４４３の下面よりも高い位置（上下中途部）に形成される。凹部４４３ａ内には、補強材４２の下フランジ４２ｂ（左端部又は右端部）が配置される。
【００７８】
第四変形例に係る軒天下地４４３は、以下のようにして補強材４２に固定される。すなわち、図１１（ａ）に示すように、軒天下地４４３は、長手方向が斜め方向（左後方向（右前方向））に向けられた状態で、左右の補強材４２（下フランジ４２ｂ）の間に配置される。そして、軒天下地４４３は、長手方向が左右方向を向くように回転される（図１１（ａ）に黒塗りで示す矢印参照）。これにより、図１０及び図１１（ｂ）に示すように、軒天下地４４３は、左右の凹部４４３ａが左右の補強材４２の下フランジ４２ｂにそれぞれ嵌め合わされて、左右の補強材４２に固定される。このような構成によれば、簡単に軒天下地４４３を固定することができるため、施工性を向上させることができる。
【符号の説明】
【００７９】
１      建物
１０    躯体
４０    デッキ部
４１    パネル
４１ａ  溝部
４２    補強材
【図１】
2020051170.tif 000003
【図２】
2020051170.tif 000004
【図３】
2020051170.tif 000005
【図４】
2020051170.tif 000006
【図５】
2020051170.tif 000007
【図６】
2020051170.tif 000008
【図７】
2020051170.tif 000009
【図８】
2020051170.tif 000010
【図９】
2020051170.tif 000011
【図１０】
2020051170.tif 000012
【図１１】
2020051170.tif 000013